(57)【要約】【課題】  スキャナ機能および印字機能を備えたノート型パソコンに、さらに電子メール機能およびＦＡＸ機能を追加したノート型パソコンを提供する。【解決手段】  第一の筐体部と、第二の筐体部と、第一の筐体部及び／又は第二の筐体部に備えられ、原稿を読み取る手段と読み取り事項を表示可能な手段および印刷可能な手段とを有するノート型パソコンであって、当該ノート型パソコンは、電子メール作成手段（図４の５８）と、該手段が作成した電子メールおよび他の電子メール装置からの電子メールを送受信する手段（５７）と、読取手段が読み取った事項を、電子メール作成手段が作成した電子メールに添付する手段（６０）とを有する。このようにすれば、スキャナ機能と、原稿データを電子メールで送信するＦＡＸ機能とを一体構成のノート型パソコンで実現したので、大変便利である。【選択図】    図４
2005100238.tif 000002
【特許請求の範囲】
【請求項１】
第一の筐体部と、第二の筐体部と、前記第一の筐体部及び／又は第二の筐体部に備えられて原稿を読み取るスキャナ手段と、該スキャナ手段の読み取り事項を表示可能な表示手段とを有するノート型パソコンであって、
電子メールを作成する電子メール作成手段と、
前記スキャナ手段の読み取り事項を前記電子メールに添付する電子メール添付手段と、
前記電子メール作成手段又は前記電子メール添付手段からの前記電子メールを送信する機能と、他の電子メール作成装置から送信されてきた電子メールを受信する機能とを有した電子メール送受信手段と
を有したことを特徴とするノート型パソコン。
【請求項２】
請求項１記載のノート型パソコンにおいて、
前記該スキャナ手段の読み取り事項を印刷可能な印刷手段と、
前記電子メール送受信手段が送受信する電子メール及び／又は添付ファイルを、前記印刷手段に印刷させる制御を行う送受信電子メール印刷制御手段を有した
ことを特徴とするノート型パソコン。
【請求項３】
請求項１または請求項２記載のノート型パソコンにおいて、
前記スキャナ手段の読み取り事項を解析する解析手段を有した
ことを特徴とするノート型パソコン。
【請求項４】
請求項１〜請求項３のいずれかに記載のノート型パソコンにおいて、
前記スキャナ手段の読み取り事項を編集する読取事項編集手段を有した
ことを特徴とするノート型パソコン。
【請求項５】
請求項１〜請求項４のいずれかに記載のノート型パソコンにおいて、
前記スキャナ手段が読み取った原稿の大きさを、拡大または縮小する読取原稿拡大／縮小手段を有した
ことを特徴とするノート型パソコン。
【請求項６】
請求項１〜請求項５のいずれかに記載のノート型パソコンにおいて、
前記スキャナ手段が読み取った原稿が正規位置からずれている場合に、ズレを修正する送信ズレ修正手段を有した
ことを特徴とするノート型パソコン。
【請求項７】
請求項１〜請求項６のいずれかに記載のノート型パソコンにおいて、
前記印刷手段で印刷する印刷用用紙を収納した自動給紙手段を有した
ことを特徴とするノート型パソコン。
【発明の詳細な説明】
【技術分野】
【０００１】
本発明は、携帯型のノート型パソコンに関し、特に、スキャナ機能や印字機能を備えたノート型パソコンに、さらに電子メール機能やＦＡＸ機能を追加したノート型パソコンに関する。
【背景技術】
【０００２】
先に、本願出願人は、所定用紙に手書きで記入された事項を印刷する際のミスプリントを無くすと共に、Ｂ５，Ａ４，Ｂ３など比較的大きな用紙へのプリントアウトを可能にし、かつ、ノート型パソコンを用いる業種の仕事の効率化を可能とするノート型パソコンの技術を提案した（例えば、特許文献１参照。）。
【０００３】
この提案は、図１０に示すように、第一の筐体部（可動筐体部１１０）と第二の筐体部（固定筐体部１２０）とを備えてなるノート型パソコン１００において、第一の筐体部あるいは第二の筐体部が、用紙（送信用原稿、図示省略）に記載されている事項を読み取るスキャナ手段（読取センサ１１５等）を有する構成としてある。
【０００４】
また、第一の筐体部あるいは第二の筐体部が、スキャナ手段で読み取られた事項を表示する表示手段（表示部１１１）を有する構成としてある。
さらに、第一の筐体部あるいは第二の筐体部が、スキャナ手段で読み取られた事項を解析する解析手段（ＯＣＲ部、図示省略）と、この解析手段で解析されたデータを印刷する印刷手段（印字ヘッド１２４）とを有する構成としてある。
【０００５】
さらに、印刷用用紙を収納した給紙カセット手段（図示省略）に組み合わせて使用する印刷用用紙供給手段（図示省略）を有する構成としてある。
１１２は第一の搬送路、１２１はキーボード、１２２は第二の搬送路、１３０はヒンジ部である。
【０００６】
このような従来のノート型パソコンによれば、例えばＡ４版のノート型パソコン１００の第一の筐体部には、スキャナ手段（読取センサ１１５等）が備えられているので、用紙を読み取り、ОＣＲ部（図示省略）で手書き文字を解析し、印刷用のデータに変換して印刷できる。従って、手書き文字を、人間が端末装置（パソコン）へキー入力する際の入力ミスが無くなり、また、例えば、Ａ４版などの大きな用紙を扱うことも可能となる。
【０００７】
さらに、ノート型パソコンを使用する業種（例えば、生命保険業界のセールスレディーなど）においては、紙媒体に手書きで記入された記載事項をキー入力しなくてもスキャナ手段で読み取ってデータ化できるため、仕事の効率化を図ることができる。
【０００８】
一方、近年、ファクシミリ装置がオフィスのみならず一般家庭までにも普及してきた。そして、ファクシミリ装置の中には、新規機能を備えたものがある。
さらには、「ネットワークスキャナ」と称し、ネットワークに接続された他の端末装置との間で電子メールを利用して画像データの通信を行う機能を備えた装置の提案もある（例えば、特許文献２参照。）。
【特許文献１】特願２００３−１８１４０６号公報
【特許文献２】特開２００３−１１４８５５号公報
【発明の開示】
【発明が解決しようとする課題】
【０００９】
ところで、上記ファクシミリ装置の新規機能の中には、例えば、３枚構成の送信用原稿に、送信側のファクシミリ装置で「表紙を自動添付して４枚構成」としたり、「定型的な季節の挨拶文を自動付記して４枚構成」としたりする機能がある。しかし、上記「表紙の自動添付機能等」を持ったファクシミリ装置は、自動添付された表紙の印字状況や、自動付記される送付ページの印字状況を、送信前に確認することができなかった。
【００１０】
また、従来のファクシミリ装置は、送信用原稿に記載されている文字や絵図（画像）がそのまま送信先（受信側）のファクシミリ装置で印字出力されるだけで、送信側で編集等を行うことができなかった。
また、送信用原稿に記載されている画像を電子メールに添付する場合、従来は、まず、スキャナ装置で文字や画像を読み取り、その読み取った文字や画像を電子メールに添付してから送信していた。そのため、スキャナ装置と電子メール送信用端末（汎用コンピュータ）の両者を揃える必要があり、設置スペースを広く要しまた操作が煩雑であった。
【００１１】
また、従来のファクシミリ装置は、セットされた送信用原稿がズレていた場合に、そのズレたままで相手先に送信してしまい、極端な場合には相手先がＦＡＸ内容を正確に読み取れず、相手先から再送を要求されることがあった。
さらに、前述のネットワークスキャナの場合は、オフィス等で構築したイントラネットに接続して複数人で共用することが多いため、パスワード等の個人設定が必要であった。
【００１２】
一方、上記特許文献１のノート型パソコンは、パソコンが本来備えている表示部等に加えて、スキャナ手段，ＯＣＲ手段，印刷用用紙給紙手段等を内蔵している。従って、特許文献１のノート型パソコンに電子メール機能およびＦＡＸ機能を持たせれば、前述の改良すべき点は解決できる。
【００１３】
本発明は上記の問題を解決すべくなされたものであり、スキャナ機能および印字機能を備えたノート型パソコンに、さらに電子メール機能およびＦＡＸ機能を追加したノート型パソコンの提供を目的とする。
【課題を解決するための手段】
【００１４】
この目的を達成するために本発明のノート型パソコンは、第一の筐体部（図２の可動筐体部１０）と、第二の筐体部（固定筐体部２０）と、第一の筐体部及び／又は第二の筐体部に備えられて原稿を読み取るスキャナ手段（読取センサ１５等）と、該スキャナ手段の読み取り事項を表示可能な表示手段（表示部１１）とを有するノート型パソコンであって、電子メールを作成する電子メール作成手段（図４の電子メール作成制御部５８）と、スキャナ手段の読み取り事項を電子メールに添付する電子メール添付手段（図４の読取データ添付制御部６０）と、電子メール作成手段又は電子メール添付手段からの電子メールを送信する機能と、他の電子メール作成装置から送信されてきた電子メールを受信する機能とを有した電子メール送受信手段（図４の電子メール送受信制御部５７）とを有する構成としてある。
【００１５】
以上の構成を図示すると、例えば図１，図２，図４，図６に示すようになる。このようにすれば、スキャナ手段で読み取った原稿の内容を、電子メール作成手段（図６における第１の通信機能付き・ノート型パソコン１−１の電子メール作成制御部５８）で作成した電子メールに添付し、インタネットＩＮを介して例えば第２の通信機能付き・ノート型パソコン１−２に送信する。そして、該第２の通信機能付き・ノート型パソコンは、自己が有する電子メール送受信手段で受信し、印字手段（印字ヘッド２４等）により印刷することができる。
【００１６】
また、スキャナ機能と、該スキャナ機能で読み取った原稿のデータを送信するというＦＡＸ機能とを、一体構成のノート型パソコンで実現したので、設置スペースを小さく済ますことが出来る。
【００１７】
また、本発明のノート型パソコンは、請求項１記載のノート型パソコンにおいて、該スキャナ手段の読み取り事項を印刷可能な印刷手段（印字ヘッド２４）と、電子メール送受信手段（図４の電子メール送受信制御部５７）が送受信する電子メール及び／又は添付ファイルを、印刷手段に印刷させる制御を行う送受信電子メール印刷制御手段（図４の印字制御部５５）を有した構成としてある。
【００１８】
以上の構成を図示すると、例えば図２，図４に示すようになる。このようにすれば、電子メール送受信手段（図４の電子メール送受信制御部５７）で送受信する電子メール及び／又は添付メールを、送受信電子メール印刷制御手段（図４の印字制御部５５）により印刷制御し、印刷手段（図２の印字ヘッド２４等）により印刷することができる。
【００１９】
また、本発明のノート型パソコンは、請求項１または請求項２記載のノート型パソコンにおいて、スキャナ手段（図２の読取センサ１５等）の読み取り事項を解析する解析手段（図４のＯＣＲ部５２）を有した構成としてある。
【００２０】
以上の構成を図示すると、例えば図２，図４に示すようになる。このようにすれば、スキャナ手段で読み取った事項（例えば、手書き文）を解析手段で解析して、読み易い活字体の添付メールとして、相手先に送信できる。
【００２１】
また、本発明のノート型パソコンは、請求項１〜請求項３のいずれかに記載のノート型パソコンにおいて、スキャナ手段（図２の読取センサ１５等）の読み取り事項を編集する読取事項編集手段（図４の読取データ編集制御部５９）を有した構成としてある。
【００２２】
以上の構成を図示すると、例えば図２，図４のようになる。このようにすれば、読取事項編集手段により、例えば３枚の送信用原稿に、「表紙（会社名，定型の挨拶文等）」を追加したり、送信用原稿の不足内容を追記することができる。
【００２３】
また、本発明のノート型パソコンは、請求項１〜請求項４のいずれかに記載のノート型パソコンにおいて、スキャナ手段（図２の読取センサ１５等）が読み取った原稿の大きさを、拡大または縮小する読取原稿拡大／縮小手段（図４の添付データ拡大／縮小制御部６１）を有した構成としてある。
【００２４】
以上の構成を図示すると、例えば図２，図４のようになる。このようにすれば、スキャナ手段で読み取った原稿を読取原稿拡大／縮小手段で拡大または縮小して送信できるので、便利である。
【００２５】
また、本発明のノート型パソコンは、請求項１〜請求項５のいずれかに記載のノート型パソコンにおいて、スキャナ手段（図２の読取センサ１５等）が読み取った原稿が正規位置からずれている場合に、ズレを修正する送信ズレ修正手段（送信ズレ制御部５８）を有した構成としてある。
【００２６】
以上の構成を図示すると、例えば図２，図４，図５（Ａ），（Ｂ）のようになる。
このようにすれば、例えば図５（Ａ），（Ｂ）に示すように、送信用原稿が正規位置からズレていた場合（図５（Ａ））に、送信ズレ修正手段がこのズレを検出し、正規位置（図５（Ｂ））に修正するので、相手先は、例えばＡ４版等の規格紙の正しい位置に、正しく印刷できる。
【００２７】
また、本発明のノート型パソコンは、請求項１〜請求項６のいずれかに記載のノート型パソコンにおいて、印刷手段（図２の印字ヘッド２４）で印刷する印刷用用紙を収納した自動給紙手段（図３の給紙装置４０）を有した構成としてある。
【００２８】
以上の構成を図示すると、例えば図２，図３に示すようになる。このようにすれば、ノート型パソコン（通信機能付き・ノート型パソコン）が送受信する電子メールや添付メールを印刷する際に、自動給紙が可能となり、大変便利である。
【発明の効果】
【００２９】
本発明によれば、スキャナ機能と、該スキャナ機能で読み取った原稿のデータを送信するというＦＡＸ機能とを、一体構成のノート型パソコンで実現できるので、設置スペースを小さく済ますことができる。
また、電子メール送受信手段で送受信する電子メール及び／又は添付メールを、送受信電子メール印刷制御手段により印刷制御し、印刷手段により印刷（プリントアウト）することができる。
【００３０】
さらに、スキャナ手段で読み取った事項（例えば、手書き文）を解析手段で解析して、読み易い活字体の添付メールとして、相手先に送信できる。
しかも、スキャナ手段で読み取った原稿を読取原稿拡大／縮小手段で拡大または縮小して送信できるので、便利である。
また、読取事項編集手段により、例えば３枚の送信用原稿に、「表紙」を追加したり、送信用原稿の不足内容を追記することができる。
【００３１】
さらに、送信用原稿が正規位置からズレていた場合に、送信ズレ修正手段がこのズレを検出し、正規位置に修正するので、相手先は例えばＡ４版等の規格紙に正しく印刷できる。
しかも、ノート型パソコンが送受信する電子メールや添付メールを印刷する際に、自動給紙が可能となり、大変便利である。
【発明を実施するための最良の形態】
【００３２】
［実施形態１］
まず、本実施形態で使用するノート型パソコンの「機構部」を簡単に説明する。なお、機構部の詳細については、上記特許文献１を参照されたい。
図１は、本実施形態のノート型パソコンの外観構成を示す全体斜視図、図２は、本実施形態のノート型パソコンの内部構造を示す断面側面図である。図３はノート型パソコンの機構部の変形例であって、印刷用の給紙装置を備えた場合の断面側面図である。
【００３３】
図１及び図２に示すように、ノート型パソコン１は、可動筐体部１０と、固定筐体部２０と、ヒンジ部３０とを備えてなり、それら可動筐体部１０と固定筐体部２０とは、ヒンジ部３０を介して開閉自在となっている。なお、最大開度は１２０度とすることができる。
【００３４】
可動筐体部（第一の筐体部）１０は、表示部１１と、第一の搬送路１２と、搬送ローラ１３ａ，１３ｂと、給紙検知センサ１４と、読取センサ１５とを有している。
表示部（表示手段）１１は、ＬＣＤ（液晶ディスプレイ），ＣＬＴ（ブラウン管），プラズマディスプレイなどのいずれか一以上で構成でき、ユーザインタフェイス（例えば、キーボード２１（後述）等）で入力された文字等，ユーザインタフェイスの操作にもとづいて選ばれた画像，映像等を表示する。また、表示部１１は、読取センサ１５で読み取られた用紙（原稿）の記載事項を画像として表示することもできる。
【００３５】
第一の搬送路１２は、対向配置した上板及び下板（図示省略）と、用紙が挿入される挿入口１２ｃとを備えて構成されている。
なお、この第一の搬送路１２（及び、後述する第二の搬送路２２）によって搬送される用紙としては、例えば、活字体で印刷された送信用原稿や、セールスレディーなどにより手書き記入済みの仮設計書や、読み取った手書きの仮設計書を文字データに変換して印刷するための印刷用用紙などがある。
【００３６】
搬送ローラ１３ａ，１３ｂは、第一の搬送路１２における所定の位置に、用紙を挟持するように配置されている。
この搬送ローラ１３ａ，１３ｂが回転することにより、挿入口１２ｃで挿入された用紙が、可動筐体部１０の上方から第一の搬送路１２の内部を通って、可動筐体部１０の下方へ搬送される。
【００３７】
以下の各動作説明においては、用紙が可動筐体部１０の可動筐体部１０の上方から第一の搬送路１２の内部を通って可動筐体部１０の下方へ搬送されるときの用紙の搬送方向を「第一の給紙方向Ａ」とする。
【００３８】
給紙検知センサ１４は、挿入された用紙を検知すると検知信号を出力する。この検知信号は、搬送ローラ１３ａ，１３ｂの回転駆動や、読取センサ１５の読取駆動等のトリガ信号として使用される。
この給紙検知センサ１４には、用紙が差し掛かったときに、その用紙を検知できる光センサなどを用いることができる。
【００３９】
読取センサ（スキャナ手段）１５は、ＣＣＤ（電荷結合素子）等の撮像素子からなり、挿入された読取用用紙の手書き文字・飾り文字等を読み取る。
この読取センサ１５で読み取られた読取用用紙の記載事項は、制御部５０（後述）へ送られて所定の処理がなされる。
また、第一の搬送路１２の上板,下板には、例えば、Ａ４用紙，Ａ５用紙，Ａ６用紙を位置決めし、安定して搬送する機能が設けられている（図示省略）。
【００４０】
固定筐体部（第二の筐体部）２０は、キーボード２１と、第二の搬送路２２と、搬送ローラ２３ａ，２３ｂ，２３ｃと、印字ヘッド２４と、排紙検知センサ２５とを有している。
キーボード２１は、文字・数字・記号等の入力が行われるユーザインタフェイスである。
【００４１】
第二の搬送路２２は、対向配置された上板及び下板（図示省略）と、用紙を固定筐体部２０の前側面から排出する排出口２２ｃとを有しており、第一の搬送路１２を通って搬送されてきた用紙を、搬送ローラ２３ａ，２３ｂ，２３ｃの回転により、排出口２２ｃへ向けてスムーズに搬送されるようになっている。
即ち、読取用用紙は、記載事項が読取センサ１５で読み取られた後、第一及び第二の搬送路１２，２２を通って排出口２２ｃから排出される。そして、同様に印刷用用紙は印字ヘッド２４で印刷された後、排出口２２ｃから排出される。
【００４２】
また、第二の搬送路２２には、第一の搬送路１２で搬送されてきた用紙を受け入れる受入口２２ｄ付近に、フラッパー２２ｅを有している。
フラッパー２２ｅは、第一の搬送路１２から送られてきた用紙が第二の搬送路２２の受入口を通過するように開放したり、逆にその用紙が通過しないように遮断したりするためのものである。
【００４３】
＜機構部の変形例＞
次に、「機構部」の変形例を、図３を参照して説明する。
同図は、ノート型パソコンの内部構成を示す断面側面図である。
本変形例は、前述の機構部と比較して、給紙方法が相違する。すなわち、上記機構部では、可動筐体部の上方にある挿入口から手差しで用紙を挿入していたのに対し、本変形例では、用紙を自動的に給紙する給紙装置を固定筐体部に設けた点で相違する。他の構成要素は上記機構部と同様である。
したがって、図３において、図２等と同様の構成部分については同一の符号を付して、その詳細な説明を省略する。
【００４４】
図３に示すように、通信機能付きノート型パソコン１は、固定筐体部２０が載置される箱状の給紙装置４０が設けられている。
この給紙装置４０の上面は、固定筐体部２０の底面部面積とほぼ同じ面積を持つことができる。
【００４５】
給紙装置４０の内部には、印刷用用紙を積層載置する載置板４１が配置され、該載置板４１の下面には給紙装置４０の底板との間にコイルバネ４２ａ，４２ｂが配置されている。該コイルバネ４２ａ，４２ｂの付勢力により、印刷用用紙は載置板４１を介して上方に持ち上げられる。
【００４６】
載置板４１の上方には、（図３においては反時計方向に）回転駆動される給紙ローラ４３が配置されている。さらに、この給紙ローラ４３の側方には、斜め上方に（給紙孔４５に向かって）印刷用用紙を搬送するガイド板４４が配置されている。
給紙孔４５は、給紙装置４０から第二の搬送路２２へ印刷用用紙を送り出すために、給紙装置４０の上面隅に形成された孔である。この給紙孔４５とガイド板４４の上端部との間には、印刷用用紙を上方にガイドするガイド部材４６が配置されている。
【００４７】
そして、本変形例では、可動筐体部１０のフラッパー２２ｅは、第二の搬送路２２の受入口２２ｄを塞ぐような位置に固定される。
即ち、本変形例においては、ガイド板４４と給紙孔４５とガイド部材４６とフラッパー２２ｅとによって、印刷用用紙の給紙路（第二の給紙方向Ｃ）が形成される。
【００４８】
次に、図４を参照しつつ、本実施形態に使用する「制御部」を説明する。同図は、本実施形態の制御部及びその関係系統を示すブロック図である。
同図に示すように、制御部５０は、読取センサ制御部５１と、ОＣＲ部（光学式文字読取部）５２と、用紙センサ制御部５３と、モータ駆動制御部５４と、印字制御部５５と、キーボード制御部５６とを有している。
【００４９】
また、制御部５０は、電子メール送受信制御部５７と、電子メール作成制御部５８と、読取データ編集制御部５９と、読取データ添付制御部６０と、添付データ拡大／縮小制御部６１と、送信ズレ制御部６２とを有している。
さらに、制御部５０には、ＬＣＤ１１と、給紙検知センサ１４と、読取センサ１５と、印字ヘッド２４と、排紙検知センサ２５と、図示省略の用紙搬送用のモータ等が接続されている。
【００５０】
読取センサ制御部５１は、読取センサ１５が読取用用紙に書かれた手書き文字や活字体で印刷された送信用原稿等を読み取る際の制御を行う。
ОＣＲ部（解析手段）５２は、読取センサ１５が読み取った手書き文字を、文字データに変換する。即ち、手書き又は印刷された文字（例えば、ゴシック体）の解析を行い、印刷用の文字データ（例えば、明朝体）に変換する。
【００５１】
用紙センサ制御部５３は、用紙が第一の搬送路１２へ挿入された際の給紙検知センサ１４による検知信号、および用紙が第二の搬送路２２から排出された際の排紙検知センサ２５の検知信号の処理を行う。
モータ駆動制御部５４は、図示省略の用紙搬送用のモータの回転駆動を制御する。
【００５２】
印字制御部（印刷手段）５５は、上記ОＣＲ部４２が変換した文字データを印字ヘッド２４に出力し、どのような印刷をするのかの制御を行う。また、キーボード２１から入力された文字等のデータを印字ヘッド２４に出力する。さらに、後述するインタネットＦＡＸや他のノート型パソコンから送信されてきたＦＡＸデータ（添付データ）等を印字ヘッド２４に出力する。
キーボード制御部５６は、キーボード２１からのキー入力を検知し、該キー入力に応じたデータを発生する。
【００５３】
電子メール送受信制御部５７は、ＴＣＰ/ＩＰ（transmission  control  protocol／internet  protocol）プロトコルに対応しており、インタネットでの電子メールの送受信を行う。電子メール送受信制御部５７の機能としては、例えば、電子メールの宛先指定，ＰＤＦ（portable  document  format）やＴＩＦＦ（tagged  image  file  format）の選択等を行うことが可能である。
電子メール作成部５８は、例えば、テキスト形式やＨＴＭＬ（hypertext  markup  language）による電子メールの作成を行う。
【００５４】
読取データ編集制御部５９は、読取センサ１５で読み取った文章・画像等に、「表紙」を付けたり、文章や画像を付加する制御を行う。
表紙付加としては、「対外的なＦＡＸ送信」であれば、例えば「○○株式会社、○○部、△△様」等というデータを予めメモリに記憶させておき、送信先に応じて「宛先」を付加する場合がある。また、「社内的なＦＡＸ送信」であれば、例えば「見積様式」等のデータを予めメモリに記憶させておき、送信先に応じて「見積様式」を付加する場合がある。
また、手書きのメモ類を付加することも可能である。この手書きのメモ類は、例えば、読取センサ（スキャナ）１５に読み取らせて付加することができる。
【００５５】
さらに、膨大なデータ量の文章（例えば、仕様書）を付加する場合には、その膨大なデータを外部メモリに格納しておき、外部メモリから通信機能付きノート型パソコン１を経由して、相手先に送信することも可能である。この場合も、手書きのメモ類を付加することも可能である。
【００５６】
読取データ添付制御部６０は、読取センサ１５が読み取った送信用原稿のデータを、電子メールの添付データとする制御を行う。
添付データ拡大／縮小制御部６１は、例えば、送信用原稿がＡ５版のものを、Ａ４版に拡大したり、逆にＡ４版をＡ５版に縮小して送信可能に制御する。
送信ズレ制御部６２は、図５（Ａ），（Ｂ）に示すように、送信用原稿が挿入口１２ｃから正規位置に対してズレて挿入された場合でも、ズレを検出し、正規位置に修正して送信する制御を行う。従って、受信側では正規位置（ズレ無し）で印字出力される。
【００５７】
図６は、本実施形態のノート型パソコンを、インタネットに接続して使用する場合のシステム構成図である。
同図に示すように、インタネットＩＮには、送信側の通信機能付きの第１のノート型パソコン１−１と、受信側の通信機能付きの第２のノート型パソコン１−２と、インタネットＦＡＸ用のゲートウェイ７１を介して接続したＧ３（グループ３）のファクシミリ装置７２とが接続されている。
【００５８】
以下に、本発明の動作を、「基本動作」と「送信動作」と「受信動作」に分けて、それぞれフローチャート図を参照しつつ説明する。
【００５９】
［基本動作］
本動作は、通信機能付き・ノート型パソコンの基本動作であり、上記特許文献１に記した動作に同じである。なお、本基本動作は、通信機能付き・ノート型パソコンを単独（スタンド・アローン）で使用する場合であり、インタネットを介しての通信は行わない場合である。
【００６０】
図７は、本実施形態のフローチャート図である。
同図に示すように、先ず、使用者（例えば、生命保険のセールスレディー）は、飾り付きのＡ４用紙の記入欄の全てに、手書きで所定事項を記入する（ステップＳ１０）。次いで、ノート型パソコン１−１の可動筐体部１０を１２０度まで開き、上記記入済みの用紙を第一の搬送路１２の挿入口１２ｃに挿入する（ステップＳ１１）。
【００６１】
すると、給紙検知センサ１４が用紙の挿入を検知し、モータ駆動制御部５４の制御の下に搬送ローラ１３ａ，１３ｂが回転し、用紙を搬送する。読取センサ１５は順次手書きの用紙を読み取り（ステップＳ１２）、ОＣＲ部４２により解析し、文字データに変換し、該文字データを図示省略のメモリに格納する（ステップＳ１３）。やがて、読み取りが終了すると（ステップＳ１４：Ｙｅｓ）、第二の搬送路２２の排出口２２ｃから用紙を排出し（排紙方向Ｂ）、用紙の末端の通過を排紙検知センサ２５が検知する（ステップＳ１５）。
【００６２】
そして、全ての手書き用紙の読取，ОＣＲ処理，排出が終了した場合には（ステップＳ１６：Ｙｅｓ）、印刷用用紙を第一の搬送路１２の挿入口１２ｃに挿入し（ステップＳ１７）、キーボード２１から所定のキー入力を行う。
【００６３】
すると、搬送ローラ１３ａ，１３ｂ，２３ａ，２３ｂ，２３ｃが回転し、印刷用用紙を印字ヘッド２４の位置まで搬送し、上記メモリから一枚分の文字データを読み出し、印字制御部５５の制御の下に印刷を行い（ステップＳ１８）、排紙する（ステップＳ１９）。
そして、全ての用紙の印刷が終了するまで、一枚ずつ挿入口１２ｃに手差し挿入を続行し（ステップＳ２０：Ｎｏ）、やがて全ての印刷が終了する（ステップＳ２０：Ｙｅｓ）。
【００６４】
＜変形例（給紙装置あり）の動作＞
また、上記図３において、給紙装置４０からノート型パソコン１に給紙する場合には、先ず、フラッパー２２ｅを第二の搬送路２２の受入口２２ｄを塞ぐような位置に固定し、給紙装置４０の上蓋に第二の給紙方向Ｃが形成されるように、ノート型パソコン１を載置する。なお、読取用用紙の読み取りは全て終了し、文字データが上記メモリに格納されているものとする。
【００６５】
この状態でキーボード２１を介して、給紙装置４０からの印刷用用紙の給紙である旨の所定の指示入力を行う。指示入力としては、例えば、予め判明している読取用用紙の枚数を入力してもよいし、メモリに格納した文字データの内の、所望のページを印刷するようにしてもよい。
【００６６】
所定の指示入力により、給紙ローラ４３が（図３においては反時計方向に）に回転し、最上位の印刷用用紙を一枚、ガイド板４４方向に送り出し、第二の給紙方向Ｃにより搬送ローラ２３ｃの間に送り込む。すると、印刷用用紙は第二の搬送路２２を搬送され、印字ヘッド２４により上記メモリに格納された画像データが印刷される。
やがて、印刷が終了すると印刷済みの印刷用用紙は排出口２２ｃから排出され、上記指示入力に対応した全ての印刷の終了を排紙検知センサ２５が検知すると、給紙ローラ４３の回転等の、給紙装置４０の機能が停止する。
【００６７】
［送信動作］
本送信動作は、例えば図６のシステム構成において、スキャナ手段で読み取った文章を解析手段（ＯＣＲ部）で解析し、解析した文章を電子メール（例えば、テキスト形式）に添付し、インタネットを介して電子メール（本文）および添付メールを、相手先の通信機能付き・ノート型パソコンに送信する場合である。
【００６８】
図８は、本送信動作のフローチャート図である。
同図に示すように、先ず、使用者は、例えばＡ４版の送信用原稿を用意し、挿入口１２ｃに挿入する（ステップＳ２１）。
すると、給紙検知センサ１４が送信用原稿の挿入を検知し、モータ駆動制御部５４の制御の下に搬送ローラ１３ａ，１３ｂが回転し、送信用原稿を搬送する。読取センサ１５は送信用原稿を読み取り（ステップＳ２２）、ОＣＲ部４２により解析し、文字データに変換し、該文字データを図示省略のメモリに格納する。
【００６９】
やがて、一枚目の読み取りが終了すると（ステップＳ２３：Ｙｅｓ）、第二の搬送路２２の排出口２２ｃから送信用原稿を排出し（排紙方向Ｂ）、用紙の末端の通過を排紙検知センサ２５が検知する（ステップＳ２４）。
【００７０】
そして、全ての送信用原稿の読取，ОＣＲ処理，排出が終了した場合には（ステップＳ２５：Ｙｅｓ）、生の送信用原稿をそのまま送信するか、ＯＣＲ処理をした後、送信するかで、処置が異なる。生原稿をそのまま送信する場合は（ステップＳ２６：ＹＥＳ）、次のステップＳ３０へ移行する。
生原稿を送信しない場合は（ステップＳ２６：ＮＯ）、ＯＣＲ処理を行い（ステップＳ２７）、ＯＣＲ処理後に編集（例えば、表紙の追加，文章の訂正等）がある場合には（ステップＳ２８：ＹＥＳ）、編集を行い（ステップＳ２９）、編集が無い場合には（ステップＳ２８：ＮＯ）、次のステップＳ３０に移行する。
【００７１】
ステップＳ３０では、送信用原稿に対して拡大／縮小の処理をする場合には（ステップＳ３０：ＹＥＳ）、添付データ拡大／縮小制御部６１により拡大または縮小の処理を行った後に（ステップＳ３１）、ステップＳ３２に移行し、また、拡大または縮小の処理をしない場合には（ステップＳ３０：ＮＯ）、そのままステップＳ３２に移行する。
【００７２】
ステップＳ３２では、送信用原稿が、例えば図５（Ａ）に示すように、送信用原稿のセット位置をセンサ（図示省略）で検出して表示部１１に表示させ、正規位置に対してズレている場合には（ステップＳ３２：ＹＥＳ）、例えば機構的手段によりズレを修正した後（ステップＳ３３）、電子メールに添付して送信する（ステップＳ３４）。また、ズレを修正しない場合には、そのまま電子メールに添付して送信する（ステップＳ３４）。
【００７３】
［受信動作］
本受信動作は、例えば図６のシステム構成において、第１の通信機能付き・ノート型パソコン１−１が、第２の通信機能付き・ノート型パソコン１−２からインタネットＩＮを介して送信された電子メール（添付ファイル付きの場合あり）を受信し、印字出力する場合である。
【００７４】
図９は、本受信動作のフローチャート図である。
同図に示すように、第１の通信機能付き・ノート型パソコン１−１は、第２の通信機能付き・ノート型パソコン１−２からインタネットＩＮを介して送信された添付ファイル付きの電子メールを受信すると（ステップＳ４１）、ノート型パソコンの使用者は電子メールを開いて電子メールを読み（ステップＳ４２）、また、添付ファイルの有無を確認する（ステップＳ４３）。
【００７５】
添付ファイルがある場合は（ステップＳ４３：ＹＥＳ）、添付ファイルを開いて内容を確認し（ステップＳ４４）、ステップＳ４５に移行する。
ステップＳ４５において、印字をしない場合は（ステップＳ４５：ＮＯ）、そのまま終了し、印字をする場合は印字形式によって処理が異なる。
【００７６】
即ち、本文のみの印字の場合は、キーボード２１から本文の印字を指定し（ステップＳ４７ｂ）、添付ファイルのみの印字の場合は、添付ファイルの印字を指定し（ステップＳ４７ｃ）、本文と添付ファイルの双方の印字の場合は、双方の印字を指定する（ステップＳ４７ａ）。
【００７７】
それぞれの印字指定（ステップＳ４７ａ，Ｓ４７ｂ，Ｓ４７ｃ）に応じて印字を行い（ステップＳ４８）、全ての印字が終了するまで印字を継続する（ステップＳ４９）。
【産業上の利用可能性】
【００７８】
本発明は、スキャナ機能を有したノート型パソコンに電子メール機能とＦＡＸ機能とを有したものであるため、例えば、スキャナ機能等を有した電子機器への利用が可能である。
【図面の簡単な説明】
【００７９】
【図１】本発明の実施形態のノート型パソコンの外観構成を示す全体斜視図である。
【図２】同実施形態のノート型パソコンの内部構造を示す断面側面図である。
【図３】同実施形態の機構部の変形例であって、印刷用の給紙装置を備えた場合の断面側面図である。
【図４】同実施形態の制御部及びその関係系統を示すブロック図である。
【図５】同実施形態における、送信用原稿のセットのズレを修正する概念を示す図であって、（Ａ）は送信用原稿が正規位置に対してズレた状態を示す図、（Ｂ）はズレを修正した状態を示す図である。
【図６】同実施形態のノート型パソコンをインタネットに接続したシステム構成図である。
【図７】同実施形態における、基本動作のフローチャート図である。
【図８】同実施形態における、送信動作のフローチャート図である。
【図９】同実施形態における、受信動作のフローチャート図である。
【図１０】従来技術の側面断面図である。
【符号の説明】
【００８０】
１  ノート型パソコン
１０  可動筐体部
１１  表示部（ＬＣＤ）
１２  第一の搬送路
１２ｃ  挿入口
１３ａ，１３ｂ  搬送ローラ
１４  給紙検知センサ
１５  読取センサ
２０  固定筐体部
２１  キーボード
２２  第二の搬送路
２２ｃ  排出口
２２ｄ  受入口
２２ｅ  フラッパー
２３ａ，２３ｂ，２３ｃ  搬送ローラ
２４  印字ヘッド
２５  排紙検知センサ
３０  ヒンジ部
４０  給紙装置
４１  載置板
４２ａ，４２ｂ  コイルバネ
４３  給紙ローラ
４４  ガイド板
４５  給紙孔
４６  ガイド部材
５０  制御部
５１  読取センサ制御部
５２  ОＣＲ部（光学式文字読取部）
５３  用紙センサ制御部
５４  モータ駆動制御部
５５  印字制御部
５６  キーボード制御部
５７  電子メール送受信制御部
５８  電子メール作成制御部
５９  読取データ編集制御部
６０  読取データ添付制御部
６１  添付データ拡大／縮小制御部
６２  送信ズレ制御部
７１  ゲートウェイ
７３  Ｇ３のファクシミリ装置
１００  従来のノート型パソコン
１１０  第一の筐体部（可動筐体部）
１１１  表示部
１１２  第一の搬送路
１１５  読取センサ
１２０  第二の筐体部（固定筐体部）
１２１  キーボード
１２２  第二の搬送路
１２４  印字ヘッド
１３０  ヒンジ部
Ａ  第一の給紙方向
Ｂ  排紙方向
Ｃ  第二の給紙方向
【図１】
2005100238.tif 000003
【図２】
2005100238.tif 000004
【図３】
2005100238.tif 000005
【図４】
2005100238.tif 000006
【図５】
2005100238.tif 000007
【図６】
2005100238.tif 000008
【図７】
2005100238.tif 000009
【図８】
2005100238.tif 000010
【図９】
2005100238.tif 000011
【図１０】
2005100238.tif 000012